(57)【要約】【課題】  原稿情報を送信する場合、写真原稿情報等、色空間ｓＹＣＣで通信し、あたかもデジタルスチルカメラで撮影した情報として処理することを望む場合、デジタルスチルカメラのＤＣＦで規定されているサムネイル情報を必ず付加することができ、あたかもデジタルスチルカメラで撮影した情報として処理し、ユーザにとって、使い易いファクシミリ装置を提供することを目的とする。【解決手段】  前手順で、色空間ｓＹＣＣでのＪＰＥＧ符号化情報の受信機能の有無を、受信機から送信機に通知し、色空間ｓＹＣＣでのＪＰＥＧ符号化情報の送信を、送信機から受信機に指定し、デジタルスチルカメラ互換通信を選択し、原稿を読み取って得た原稿情報の送信が選択され、かつ、デジタルスチルカメラ互換通信が選択された場合、サムネイル情報を作成し、サムネイル情報を原稿情報と合わせて送信する。【選択図】  図１
2006042251.tif 000002
【特許請求の範囲】
【請求項１】
カラー情報を通信可能なファクシミリ装置において、
前手順において、色空間ｓＹＣＣでのＪＰＥＧ符号化情報の受信機能の有無を、受信機から送信機に通知する通知手段と；
色空間ｓＹＣＣでのＪＰＥＧ符号化情報の送信を、送信機から受信機に指定する指定手段と；
デジタルスチルカメラ互換通信を選択する選択手段と；
原稿を読み取って得た原稿情報の送信が選択され、かつ、デジタルスチルカメラ互換通信が選択された場合、サムネイル情報を作成し、サムネイル情報を原稿情報と合わせて送信する送信制御手段と；
を有することを特徴とするファクシミリ装置。
【請求項２】
請求項１において、
原稿情報の送信が選択され、かつ、デジタルスチルカメラ互換通信が選択されていない場合、送信制御手段は、サムネイル情報を送信しないことを特徴とするファクシミリ装置。
【請求項３】
カラー情報を通信可能なファクシミリ通信方法において、
前手順において、色空間ｓＹＣＣでのＪＰＥＧ符号化情報の受信機能の有無を、受信機から送信機に通知する通知工程と；
色空間ｓＹＣＣでのＪＰＥＧ符号化情報の送信を、送信機から受信機に指定する指定工程と；
デジタルスチルカメラ互換通信を選択する選択工程と；
原稿を読み取って得た原稿情報の送信が選択され、かつ、デジタルスチルカメラ互換通信が選択された場合、サムネイル情報を作成し、サムネイル情報を原稿情報と合わせて送信する送信制御工程と；
を有することを特徴とするファクシミリ通信方法。
【請求項４】
請求項３において、
原稿情報の送信が選択され、かつ、デジタルスチルカメラ互換通信が選択されていない場合、送信制御工程は、サムネイル情報を送信しないことを特徴とするファクシミリ通信方法。
【発明の詳細な説明】
【技術分野】
【０００１】
本発明は、ファクシミリ装置に係り、特に、ＪＰＥＧ情報を通信可能なファクシミリ装置およびファクシミリ通信方法に関する。
【背景技術】
【０００２】
カラー情報を通信可能な従来のファクシミリ装置は、ＩＴＵ−Ｔ勧告Ｔ．３０、Ｔ．４、Ｔ．８１、Ｔ．４２によって、色空間Ｌａｂでのカラー通信が定められている。色空間Ｌａｂでのカラー通信を使用し、カラー原稿情報を読み取り、送信し、受信機において、受信し、カラープリントを実行する。つまり、カラーファクシミリ装置において、色空間Ｌａｂでのカラーファクシミリ通信が知られている（たとえば、特許文献１参照）。
【０００３】
最近は、デジタルカメラが普及し、デジタルカメラで撮影した情報をそのままファクシミリプロトコルを使用して送信したいというニーズが高まりつつある。これに伴い、カラー通信も、デジタルカメラで使用している色空間Ｌａｂではなく、色空間ｓＹＣＣでのＪＰＥＧ符号化情報をそのまま送信するプロトコルがＩＴＵ−Ｔにおいて、標準化されている。つまり、色空間ｓＹＣＣでのカラーファクシミリ通信が知られている（たとえば、特許文献２参照）。
【特許文献１】特開平６−１２５４７０号公報
【特許文献２】特開２００３−３７７４１号公報
【発明の開示】
【発明が解決しようとする課題】
【０００４】
図１０は、従来のファクシミリ装置の動作説明図である。
【０００５】
送信機側のファクシミリ装置１００では、カラー原稿情報を送信すること、または、カードスロットを介したコンパクトフラッシュ（登録商標）カード１０６に格納されているデジタルスチルカメラ情報を送信することが考えられる。
【０００６】
一方、受信機側のファクシミリ装置２００では、受信したカラー情報をプリンタ２０８でプリントすること、または、カードスロットを介してデジタルスチルカメラ情報をコンパクトフラッシュ（登録商標）カード２０６へ受信することが考えられる。
【０００７】
具体的には、送信機側のファクシミリ装置１００で、カラー原稿をカラーで読み取って得たカラー画像情報（本願ではカラー原稿情報と称す）の送信が選択されると、受信機側のファクシミリ装置２００では、カラープリントし、一方、送信機側のファクシミリ装置１００で、カードスロットを介してコンパクトフラッシュ（登録商標）カード１００に格納されているデジタルスチルカメラ情報を送信することが選択されると、受信機側のファクシミリ装置２００では、カードスロットを介してデジタルスチルカメラ情報をコンパクトフラッシュ（登録商標）カード２０６へ受信することが考えられる。
【０００８】
ここで、送信機側のファクシミリ装置１００で、カラー原稿情報を送信するときに、たとえば、写真を読み取って得たカラー画像情報（本願では写真原稿情報と称す）を送信する場合、送信機側のファクシミリ装置１００において、カードスロットを介してコンパクトフラッシュ（登録商標）カード１０６に格納されているデジタルスチルカメラ情報をあたかも実行しているように、情報を送りたいが、これを実行できないという問題がある。つまり、送信機側のファクシミリ装置１００のユーザが、デジタルスチルカメラで撮影した情報と互換で、受信機側のファクシミリ装置２００で写真画像を処理することを望むが、これを実行できないという問題が考えられる。
【０００９】
ここで、カラー原稿情報をカラー読み取りして、あたかも、デジタルスチルカメラで撮影したように送信するためのポイントは、色空間ｓＹＣＣで送信することと、ＤＣＦで定義されているサムネイル画像を付加して送信することとである。
【００１０】
本発明は、原稿を読み取って得た原稿情報を送信する場合、たとえば、写真原稿情報等、色空間ｓＹＣＣで通信し、あたかもデジタルスチルカメラで撮影した情報として処理することを望む場合、デジタルスチルカメラのＤＣＦで規定されているサムネイル情報を必ず付加することができ、したがって、あたかもデジタルスチルカメラで撮影した情報として処理し、ユーザにとって、使い易いファクシミリ装置およびファクシミリ通信方式を提供することを目的とするものである。
【課題を解決するための手段】
【００１１】
本発明は、カラー情報を通信可能なファクシミリ装置において、前手順で、色空間ｓＹＣＣでのＪＰＥＧ符号化情報の受信機能の有無を、受信機から送信機に通知する通知手段と、色空間ｓＹＣＣでのＪＰＥＧ符号化情報の送信を、送信機から受信機に指定する指定手段と、デジタルスチルカメラ互換通信を選択する選択手段と、原稿を読み取って得た原稿情報の送信が選択され、かつ、デジタルスチルカメラ互換通信が選択された場合、サムネイル情報を作成し、サムネイル情報を原稿情報と合わせて送信する送信制御手段とを有するファクシミリ装置である。
【発明の効果】
【００１２】
本発明によれば、原稿を読み取って得た原稿情報を送信する場合、たとえば、写真をカラーで読み取って得た写真原稿情報等を送信する場合、色空間ｓＹＣＣで通信し、ユーザがあたかもデジタルスチルカメラで撮影した情報として処理することを望む場合、デジタルスチルカメラのＤＣＦで規定されているサムネイル情報を必ず付加することができ、受信機側では、デジタルスチルカメラで撮影した情報として取り扱うことが可能となり、ユーザにとって、使い易いという効果を奏する。
【発明を実施するための最良の形態】
【００１３】
発明を実施するための最良の形態は、次の実施例である。
【実施例１】
【００１４】
図１は、本発明の実施例１であるファクシミリ装置ＦＳ１を示すブロック図である。
【００１５】
ファクシミリ装置ＦＳ１は、ＮＣＵ（網制御装置）２と、ハイブリッド回路６と、変復調器８と、発呼回路１０と、加算回路１２と、カラー読み取り可能な読取回路１４と、カラー記録可能な記録回路１６と、メモリ回路１８と、操作部２０と、ＲＯＭ２４とを有する。
【００１６】
ＮＣＵ（網制御装置）２は、電話網をデータ通信等に使用するために、その回線の端末に接続し、電話交換網の接続制御を行い、データ通信路への切り換えを行い、ループの保持を行うものである。また、ＮＣＵ２は、バス２６からの制御によって、電話回線２ａを電話機側に接続（ＣＭＬオフ）し、電話回線２ａをファクシミリ装置側に接続（ＣＭＬオン）するものである。なお、通常状態では、電話回線２ａは、電話機４側に接続されている。
【００１７】
ハイブリッド回路６は、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００１８】
変復調器８は、ＩＴＵ−Ｔ勧告Ｖ．８、Ｖ．２１．Ｖ．２７ｔｅｒ、Ｖ．２９、Ｖ．１７、Ｖ．３４に基づいた変調と復調とを行う変復調器であり、バス２６の制御によって、各伝送モードが指定される。変復調器８は、バス２６からの送信信号を入力し、変調データを信号線８ａに出力し、信号線６ａに出力されている受信信号を入力し、復調データをバス２６に出力する。
【００１９】
発呼回路１０は、バス２６からの信号によって、電話番号情報を入力し、信号線１０ａにＤＴＭＦの選択信号を出力する。
【００２０】
加算回路１２は、信号線８ａの情報と信号線１０ａの情報とを入力し、加算した結果を信号線１２ａに出力する。
【００２１】
カラー読み取り可能な読取回路１４は、読み取りデータをバス２６に出力する。
【００２２】
カラー記録可能な記録回路１６は、バス２６に出力されている情報を順次１ライン毎に記録する。
【００２３】
メモリ回路１８は、ワーク用のメモリ（ＲＡＭ）、さらに、読み取りデータの生情報、または、符号化した情報を格納し、また、受信情報、または、復号化した情報等をバス２６を介して格納する。
【００２４】
操作部２０は、ワンタッチダイヤル、短縮ダイヤル、テンキー、＊キー、＃キー、スタートキー、ストップキー、セットキー、ファイル情報の送信を選択するキー、カラー送信キー、デジタルスチルカメラ互換通信を選択するキー（操作部上に記載する文字表示としては「デジカメスキャンボタン」というような文字表示とする）、送信解像度選択キー（デジタルスチルカメラ互換通信を選択しているときに有効）、ＪＰＥＧ圧縮率選択キー（デジタルスチルカメラ互換通信を選択しているときに有効）、その他のファンクションキーがあり、押下されたキー情報はバス２６に出力される。
【００２５】
操作部２０には、表示部があり、バス２６に出力されている情報を入力し、表示する。
【００２６】
ＣＰＵ（中央処理装置）２２は、ファクシミリ全体の制御をしたり、ファクシミリ伝送制御手段を実行するが、その制御プログラムは、ＲＯＭ２４に格納されている。
【００２７】
カードインタフェース２８は、カード（たとえば、デジタルカメラで撮影した情報が記憶されているコンパクトフラッシュ（登録商標）カード）３０がセットされる。
【００２８】
図２は、ファクシミリ装置ＦＳ１において、カラー関連のビット情報、さらに、新規にＩＴＵ−Ｔ勧告Ｔ．３０に追加する情報を示す図である。
【００２９】
ＤＩＳ／ＤＴＣ信号のＦＩＦの６８ビットによって、色空間ＬａｂでのＪＰＥＧ符号化での受信機能の有無を通知し、ＤＣＳ信号のＦＩＦの６８ビットによって、色空間ＬａｂでのＪＰＥＧ符号化での送信を指定する。
【００３０】
また、ＤＩＳ／ＤＴＣ信号のＦＩＦの６９ビットによって、色空間がＬａｂであるフルカラー受信機能の有無を通知し、ＤＣＳ信号のＦＩＦの６９ビットによって、色空間がＬａｂであるフルカラー送信を指定する。
【００３１】
ＤＩＳ／ＤＴＣ信号のＦＩＦのＸビットによって、色空間ｓＹＣＣでのＪＰＥＧ符号化受信機能の有無を通知し、ＤＣＳ信号のＦＩＦのＸビットによって、色空間ｓＹＣＣでのＪＰＥＧ符号化送信を指定する。
【００３２】
ＲＯＭ２４は、制御プログラムを格納し、この制御プログラムは、カラー情報を通信可能なファクシミリ装置において、前手順で、色空間ｓＹＣＣでのＪＰＥＧ符号化情報の受信機能の有無を、受信機から送信機に通知する手段と、一方、色空間ｓＹＣＣでのＪＰＥＧ符号化情報の送信を、送信機から受信機に指定する手段と、デジタルスチルカメラ互換通信を選択する手段とを実現するプログラムであり、原稿情報の送信選択にて、デジタルスチルカメラ互換通信が選択されていると、サムネイル情報を作成し、サムネイル情報を合わせて送信する。
【００３３】
ここで、原稿送信の選択において、デジタルスチルカメラ互換通信が選択されていないと、サムネイル情報を送信しない。
【００３４】
デジタルスチルカメラ互換通信を選択する手段（デジカメスキャンボタン）を操作し、原稿読み取りを行えば、作成されるファイルフォーマットとしてデジタルカメラが使用するファイルフォーマットを使用して、読み取りデータが記憶される。
【００３５】
これによって、原稿をスキャナ部が読み取った画像データが、あたかも、デジタルスチルカメラで撮影した情報として処理され、デジタルスチルカメラのＤＣＦで規定されているサムネイル情報を必ず付加することができる。
【００３６】
図３、図４、図５、図６、図７、図８、図９は、ファクシミリ装置ＦＳ１の動作を示すフローチャートである。
【００３７】
Ｓ２では、バス２６を介して、メモリ１８をイニシャライズし、Ｓ４では、バス２６を介して、操作部２０の表示部をクリアし、Ｓ６では、バス２６を介して、ＮＣＵ２のＣＭＬをオフする。
【００３８】
Ｓ８では、送信が選択されたか否かが判断され、送信が選択されれば、Ｓ１２に進み、送信が選択されなければ、Ｓ１０に進み、その他の処理をする。
【００３９】
Ｓ１２では、操作部２０の情報を入力し、ファイル情報の送信が選択されているか、原稿情報の送信が選択されているかを判断し、ファイル情報の送信が選択されていると、Ｓ７０に進み、原稿情報の送信が選択されていると、Ｓ１４に進む。
【００４０】
Ｓ１４では、操作部２０の情報を入力し、デジタルスチルカメラ互換通信が選択されているか否かを判断し、デジタルスチルカメラ互換通信が選択されていれば、Ｓ１６に進み、デジタルスチルカメラ互換通信が選択されていなければ、Ｓ４０に進む。
【００４１】
Ｓ１６では、操作部２０の情報を入力し、選択されている画素数を入力する。ここで、画素数選択キーを使用し、１００万画素、２００万画素、３００万画素、４００万画素の中から選択し、入力する。
【００４２】
Ｓ１８では、操作部２０の情報を入力し、選択されているＪＰＥＧ圧縮率を変える読み取りモードを入力する。ここで、選択されているＪＰＥＧ圧縮率を変える読み取りモード選択キーを使用し、標準モード、ファインモード、スーパーファインモードの中から選択する。
【００４３】
Ｓ２０では、セットされている原稿をカラーで読み取り、得られたカラー画像情報を、色空間ｓＹＣＣのＪＰＥＧフルカラー情報として、選択された画素数、ＪＰＥＧ圧縮率で量子化し、メモリに格納する。
【００４４】
Ｓ２２では、読み取ったカラー情報から１６０画素×１２０画素のサムネイル情報用の色空間ｓＹＣＣでのフルカラーＪＰＥＧファイルを作成し、Ｓ２４では、バス２６を介して、ＮＣＵ２のＣＭＬをオンし、Ｓ２６では、バス２６を介して、発呼回路を使用して指定された宛先へ発呼する。
【００４５】
Ｓ２８では、前手順を実行し、Ｓ３０では、ＤＩＳ信号のＦＩＦのＸビットは１であるか否かを判断し、ＤＩＳ信号のＦＩＦのＸビットが１であれば、Ｓ３４に進み、ＤＩＳ信号のＦＩＦのＸビットが１でなければ、Ｓ３２に進む。
【００４６】
Ｓ３２では、操作部２０の表示部に「デジタルスチルカメラ互換送信はできませんでした。」と表示し、ここで、この表示は何らかのキー操作で消去する。Ｓ３４では、残りの前手順を実行する。ここで、ＤＣＳ信号のＦＩＦのＸビットを１にする。
【００４７】
Ｓ３６では、メモリに格納されている色空間ｓＹＣＣのＪＰＥＧ符号化フルカラー情報を送信する。ここで、ＪＰＥＧファイルのＡｐｐ１マーカに、Ｓ２２で作成したサムネイル画像を付加する。
【００４８】
上記実施例によれば、カラー情報を通信可能なファクシミリ装置において、前手順で、色空間ｓＹＣＣでのＪＰＥＧ符号化情報の受信機能の有無を、受信機から送信機に通知する手段と、一方、色空間ｓＹＣＣでのＪＰＥＧ符号化情報の送信を、送信機から受信機に指定する手段と、デジタルスチルカメラ互換通信を選択する手段とを有し、原稿情報の送信選択において、デジタルスチルカメラ互換通信が選択されていると、サムネイル情報を作成し、サムネイル情報を合わせて送信することができる。
【００４９】
原稿情報の送信を考えたときに、たとえば、写真をカラーで読み取って得られた写真原稿情報を送信することを考えた場合等、色空間ｓＹＣＣで通信し、あたかも、デジタルスチルカメラで撮影した情報として処理を実行したいケースがあるが、デジタルスチルカメラのＤＣＦで規定されているサムネイル情報を必ず付加することができ、あたかも、デジタルスチルカメラで撮影した情報として処理することができ、ユーザには、使い易い。Ｓ３８では、後手順を実行する。
【００５０】
Ｓ４０では、バス２６を介して、ＮＣＵ２のＣＭＬをオンし、Ｓ４２では、バス２６を介して、発呼回路を使用して指定された宛先へ発呼し、Ｓ４４では、前手順を実行する。
【００５１】
Ｓ４６では、操作部２０の情報を入力し、カラー送信が選択されているか否かを判断し、カラー送信が選択されていれば、Ｓ４８に進み、カラー送信が選択されていなければ、Ｓ６４に進む。
【００５２】
Ｓ４８では、ＤＩＳ信号のＦＩＦの６８、６９ビットが１であるか否かを判断し、ＤＩＳ信号のＦＩＦの６８、６９ビットが１であれば、Ｓ５０に進み、ＤＩＳ信号のＦＩＦの６８、６９ビットが１でなければ、Ｓ５６に進む。
【００５３】
Ｓ５０では、残りの前手順を実行する。ここで、ＤＣＳ信号のＦＩＦの６８、６９ビットを１にする。Ｓ５２では、原稿情報をカラー読み取りし、色空間ＬａｂでのＪＰＥＧ符号化フルカラーダイレクト送信する。ここで、ＪＰＥＧファイルにて、Ａｐｐ１マーカの送信はしない。Ｓ５４では、後手順を実行する。
【００５４】
Ｓ５６では、ＤＩＳ信号のＦＩＦのＸビットが１であるか否かを判断し、ＤＩＳ信号のＦＩＦのＸビットが１であれば、Ｓ５８に進み、ＤＩＳ信号のＦＩＦのＸビットが１でなければ、Ｓ６４に進む。
【００５５】
Ｓ５８では、残りの前手順を実行する。ここで、ＤＣＳ信号のＦＩＦのＸビットを１にする。
【００５６】
Ｓ６０では、原稿情報をカラー読み取りし、色空間ｓＹＣＣでのＪＰＥＧ符号化フルカラーダイレクト送信する。ここで、ＪＰＥＧファイルにて、Ａｐｐ１マーカの送信はしない。
【００５７】
Ｓ５２、Ｓ６０では、原稿情報の送信選択において、デジタルスチルカメラ互換通信が選択されていないと、サムネイル情報を送信しないようにすることができる。そして、原稿情報の送信選択において、デジタルカメラ互換通信が選択されていないと、サムネイル情報を送信しないで、従来のファクシミリ画信号としての送信を適切に実行でき、ユーザにとって、使い易い。Ｓ６２では、後手順を実行する。
【００５８】
Ｓ６４では、残りの前手順を実行する。ここで、ＤＣＳ信号のＦＩＦの６８、６９、Ｘビットを０にする。Ｓ６６では、原稿情報をモノクロ２値で読み取り、モノクロダイレクト送信する。Ｓ６８では、後手順を実行する。
【００５９】
Ｓ７０では、バス２６を介して、ＮＣＵ２のＣＭＬをオンする。Ｓ７２では、バス２６を介して、発呼回路を使用して指定された宛先へ発呼し、Ｓ７４では、前手順を実行する。
【００６０】
Ｓ７６では、ＤＩＳ信号のＦＩＦのＸビットが１であるか否かを判断し、ＤＩＳ信号のＦＩＦのＸビットが１であれば、Ｓ８０に進み、ＤＩＳ信号のＦＩＦのＸビットが１でなければ、Ｓ７８に進む。
【００６１】
Ｓ７８では、操作部２０の表示部に、「ファイル情報の送信はできませんでした。」と表示する。ここで、この表示を、何らかのキー操作で消去する。
【００６２】
Ｓ８０では、残りの前手順を実行する。ここで、ＤＣＳ信号のＦＩＦのＸビットを１にする。
【００６３】
Ｓ８２では、コンパクトフラッシュ（登録商標）カードに格納されている色空間ｓＹＣＣでのＪＰＥＧ符号化フルカラー情報をそのまま送信する。Ｓ８４では、後手順を実行する。
【００６４】
つまり、上記実施例は、カラー情報を通信可能なファクシミリ装置において、前手順において、色空間ｓＹＣＣでのＪＰＥＧ符号化情報の受信機能の有無を、受信機から送信機に通知する通知手段と、色空間ｓＹＣＣでのＪＰＥＧ符号化情報の送信を、送信機から受信機に指定する指定手段と、デジタルスチルカメラ互換通信を選択する選択手段と、原稿を読み取って得た原稿情報の送信が選択され、かつ、デジタルスチルカメラ互換通信が選択された場合、サムネイル情報を作成し、サムネイル情報を原稿情報と合わせて送信する送信制御手段とを有するファクシミリ装置の例である。
【００６５】
この場合、原稿情報の送信が選択され、かつ、デジタルスチルカメラ互換通信が選択されていない場合、送信制御手段は、サムネイル情報を送信しない。
【００６６】
また、上記実施例を、ファクシミリ通信方法の発明として把握することができる。すなわち、上記実施例は、カラー情報を通信可能なファクシミリ通信方法において、前手順において、色空間ｓＹＣＣでのＪＰＥＧ符号化情報の受信機能の有無を、受信機から送信機に通知する通知工程と、色空間ｓＹＣＣでのＪＰＥＧ符号化情報の送信を、送信機から受信機に指定する指定工程と、デジタルスチルカメラ互換通信を選択する選択工程と、原稿を読み取って得た原稿情報の送信が選択され、かつ、デジタルスチルカメラ互換通信が選択された場合、サムネイル情報を作成し、サムネイル情報を原稿情報と合わせて送信する送信制御手段とを有するファクシミリ通信方法の例である。
【００６７】
上記実施例によれば、原稿を読み取って得た原稿情報を送信する場合、たとえば、写真をカラーで読み取って得た写真原稿情報等を送信する場合、色空間ｓＹＣＣで通信し、ユーザがあたかも、デジタルスチルカメラで撮影した情報として処理を実行したい場合、デジタルスチルカメラのＤＣＦで規定されているサムネイル情報を必ず付加することができ、受信機側では、たとえば、受信した画像をコンパクトフラッシュ（登録商標）等のメモリカードに記憶したり、受信機に接続されたＰＣや、デジタルスチルカメラへ転送すれば、その後、ＰＣやデジタルスチルカメラにおいて、受信した画像をデジタルスチルカメラで撮影した情報として取り扱うことができ、ユーザにとって、使い易い。
【００６８】
また、上記実施例によれば、原稿を読み取って得た原稿情報の送信が選択され、かつ、デジタルスチルカメラ互換通信が選択されていない場合、サムネイル情報を送信せずに、従来のファクシミリ画信号として送信するので、受信側では、受信画像をファクシミリ受信した画像として適切に印字やディスプレイに表示する処理を実行でき、カラーＦＡＸ受信画像がすぐに入手・確認できて使い易い。
【図面の簡単な説明】
【００６９】
【図１】本発明の実施例１であるファクシミリ装置ＦＳ１を示すブロック図である。
【図２】ファクシミリ装置ＦＳ１において、カラー関連のビット情報、さらに、新規にＩＴＵ−Ｔ勧告Ｔ．３０に追加する情報を示す図である。
【図３】ファクシミリ装置ＦＳ１の動作を示すフローチャートである。
【図４】ファクシミリ装置ＦＳ１の動作を示すフローチャートである。
【図５】ファクシミリ装置ＦＳ１の動作を示すフローチャートである。
【図６】ファクシミリ装置ＦＳ１の動作を示すフローチャートである。
【図７】ファクシミリ装置ＦＳ１の動作を示すフローチャートである。
【図８】ファクシミリ装置ＦＳ１の動作を示すフローチャートである。
【図９】ファクシミリ装置ＦＳ１の動作を示すフローチャートである。
【図１０】従来のファクシミリ装置の動作説明図である。
【符号の説明】
【００７０】
ＦＳ１…ファクシミリ装置、
２…ＮＣＵ、
６…ハイブリッド回路、
８…変復調器、
１０…発呼回路、
１２…加算回路、
１４…読取回路、
１６…記録回路、
１８…メモリ、
２０…操作部、
２２…ＣＰＵ、
２４…ＲＯＭ、
２８…カードインタフェース、
３０…コンパクトフラッシュ（登録商標）カード。
【図１】
2006042251.tif 000003
【図２】
2006042251.tif 000004
【図３】
2006042251.tif 000005
【図４】
2006042251.tif 000006
【図５】
2006042251.tif 000007
【図６】
2006042251.tif 000008
【図７】
2006042251.tif 000009
【図８】
2006042251.tif 000010
【図９】
2006042251.tif 000011
【図１０】
2006042251.tif 000012